(57)【特許請求の範囲】
【請求項１】
一端側に重力方向に貫通された断面コ字状のスリット部２を有し、その側面に水平方向に設けた貫通孔２ａからそのスリット部２に出入自在となるようにロックピン３が配置され、他端側に引張装置１が接続される引き止めヘッド４と、
前記引き止めヘッド４の前記側面に固定され、前記ロックピン３が保持されて、それを前記スリット部２から引き抜く油圧シリンダ型引抜き装置５と、
長手方向の一端部が前記免震床７に取付けられた負荷側接続金具15と、
この負荷側接続金具15の他端に、一端が支持軸21によって自重により重力方向に回動自在に軸支された連結板８とを具備し、
この連結板８の他端には前記ロックピン３の係止孔６が設けられ、前記連結板８と前記引き止めヘッド４とを連結している前記ロックピン３を前記係止孔６から引き抜くことにより、前記連結板８は重力方向に回転して、前記連結板８の先端部と前記引き止めヘッド４とが衝突することを防止することを特徴とする免震床の負荷試験装置。
【請求項２】
請求項１において、
前記油圧シリンダ型引抜き装置５が、二重筒型で中心に貫通部が形成され、一端面に中空に形成された中空ピストンロッド５ａが出入自在に内装され、前記貫通部に頭部付きの前記ロックピン３の軸部３ａが挿脱自在に挿通されると共に、その頭部３ｂが前記中空ピストンロッド５ａの端面に着座される免震床の負荷試験装置。
【請求項３】
請求項１または請求項２において、
前記ロックピン３が円柱状に形成されると共に、その先端縁が面取りされ、その面取りの軸方向長さＬが僅かである免震床の負荷試験装置。
【発明の詳細な説明】
【０００１】
【発明の属する技術分野】
本発明は免震床の負荷試験装置に係り、それに負荷を加えた後に復元させて免震床の自由振動試験を行うものに関する。
【０００２】
【従来の技術】
従来の免震床の負荷試験装置は、一例として図８の如く構成されていた。即ち、免震床７の下面側には可動手段９および弾性体24を有し、その弾性体が免震床７と基面との間に介装されている。そのような免震床７と引張装置１との間をワイヤ26で連結する。そして、弾性体24の弾発力に抗して、引張装置１によって免震床７を右方に移動し、次いでワイヤ26のＡ点においてそれを切断して免震床７を復元させ、負荷試験を行なっていた。或いは、適宜な接続金具を免震床７と引張装置１との間に設け、両者間をピンやフックで係止し、免震床７に負荷をかけた後に、ハンマーや打撃によってそのピンやフックを引き外して負荷試験を行なっていた。
【０００３】
【発明が解決しようとする課題】
従来の免震床の負荷試験装置においてワイヤをカットする方式では、免震床７の復元時にカットされたワイヤの飛び跳ねによる危険が伴う。また、ハンマーの打撃によるピンやフックを引き外す方法では、ハンマーの衝撃が計測機器に影響を与えることが多く、正確なデータが取り難いことと、外れたピンやフック等の飛翔物による危険性が存在する。そして、これらの方法は何れにしても負荷が大きい程その危険性が高く、試験時には安全対策を充分行う必要が有り、防護壁や柵等の設備費用の負担が大きかった。
そこで本発明は、これらの課題を解決する免震床の負荷試験装置を提供することを目的とする。
【０００４】
【課題を解決するための手段】
請求項１に記載の本発明は、一端側に重力方向に貫通された断面コ字状のスリット部２を有し、その側面に水平方向に設けた貫通孔２ａからそのスリット部２に出入自在となるようにロックピン３が配置され、他端側に引張装置１が接続される引き止めヘッド４と、
前記引き止めヘッド４の前記側面に固定され、前記ロックピン３が保持されて、それを前記スリット部２から引き抜く油圧シリンダ型引抜き装置５と、
長手方向の一端部が前記免震床７に取付けられた負荷側接続金具15と、
この負荷側接続金具15の他端に、一端が支持軸21によって自重により重力方向に回動自在に軸支された連結板８とを具備し、
この連結板８の他端には前記ロックピン３の係止孔６が設けられ、前記連結板８と前記引き止めヘッド４とを連結している前記ロックピン３を前記係止孔６から引き抜くことにより、前記連結板８は重力方向に回転して前記連結板８の先端部と前記引き止めヘッド４とが衝突することを防止することを特徴とする免震床の負荷試験装置である。
請求項２に記載の本発明は、請求項１において、
前記油圧シリンダ型引抜き装置５が、二重筒型で中心に貫通部が形成され、一端面に中空に形成された中空ピストンロッド５ａが出入自在に内装され、前記貫通部に頭部付きの前記ロックピン３の軸部３ａが挿脱自在に挿通されると共に、その頭部３ｂが前記中空ピストンロッド５ａの端面に着座される免震床の負荷試験装置である。
【０００５】
請求項３に記載の本発明は、請求項１または請求項２において、
前記ロックピン３が円柱状に形成されると共に、その先端縁が面取りされ、その面取りの軸方向長さＬが僅かである免震床の負荷試験装置である。
【０００６】
【発明の実施の形態】
次に、図面に基づいて本発明の実施の形態につき説明する。
図１は本試験装置の接続状態を示す立面図であり、図２はその要部平面図、図３はその引張装置１の一例を示す説明図である。また、図４は、連結板８とロックピン３と油圧シリンダ型引抜き装置５との関係を示す説明図であり、図５はロックピン３の先端部拡大図である。
そして、図６〜図７は連結板８とロックピン３との係脱状態を示す説明図である。
この免震床の負荷試験装置は、図１に示す如く、免震床７と引張装置１との間に介装されるものである。即ち、同図では、装置の右端が引張装置１に接続され、装置の左端が免震床７に接続される。本装置は引き止めヘッド４と油圧シリンダ型引抜き装置５と連結板８とを有する。
【０００７】
引き止めヘッド４は図２および図４に示す如く、一端側が開放された音叉型のスリット部２を有し、その側面に貫通孔２ａが穿設されている。そしてその貫通孔２ａに、ロックピン３の先端部が挿入され、それがスリット部２に出入自在配置されている。そして、その引き止めヘッド４の側面には、ロックピン３と同軸に油圧シリンダ型引抜き装置５が固定金具23を介して取付られている。この油圧シリンダ型引抜き装置５は二重筒型で、大径筒と小径筒とを有し、それらの間の一端側が閉塞され、他端側から大径筒と小径筒との間に液密に中空ピストンロッド５ａが挿入されている。そして、二重筒体内に図示しない油圧ホースが連通され、シリンダ内にオイルを供給することにより、中空ピストンロッド５ａを引き止めヘッド４の直交方向の外方に移動させるものである。このような油圧シリンダ型引抜き装置５は、中空ジャッキの用途として市販されているので、それを本発明に利用できる。そして、この油圧シリンダ型引抜き装置５内にロックピン３が挿入され、その頭部３ｂが中空ピストンロッド５ａの端面に当接する。
【０００８】
次に、引き止めヘッド４のスリット部２には連結板８が挿脱自在に挿入される。連結板８の板厚は、引き止めヘッド４のスリット部２よりも僅かに薄く形成され、その連結板８を図４の如くスリット部２に挿入したとき、そのスリット部２の側面との間に遊びギャップ16が生じる。連結板８の先端部にはロックピン３に整合する係止孔６が穿設されている。なお、ロックピン３の端面には、図５の如くその縁部が面取りされた先端面取り部17が形成されている。この先端面取り部17の軸方向長さＬは、一例としてロックピン３の直径が１９φの場合には、１〜１．５ｍｍ程度で足りる。
【０００９】
また、連結板８の後端部には軸孔27が穿設されている。さらに、引き止めヘッド４の右端にはボルト孔28が穿設されている。そして引き止めヘッド４はこのボルト孔28を介して引張装置１に接続される。即ち、図１および図２の如く、固定側接続金具10のボルト孔と引き止めヘッド４のボルト孔28が整合され、そこに取付ピン22が挿通され、両者間が接続される。この取付ピン22は、引張装置１の左端部を接続する。この例では、引張装置１は床面13に架台19を介して固定された倍力機構からなる。その一例として、図１〜図３に示す如く、回転できるハンドル14の軸にウオーム18が一体的に固定され、そのウオーム18にウオームギア20が噛合する。そして、そのウオームギア20は筒状に形成され、その内面に内ネジが螺刻されている。そしてその内ネジがネジシャフト25に螺着される。その結果、ハンドル14を回転することにより、ネジシャフト25をその軸線方向に移動させることができる。
【００１０】
また、連結板８はその左端が、支持軸21を介して負荷側接続金具15に回動自在に軸支され、その負荷側接続金具15が図１の如く、免震床７に接続されている。この免震床７は、その下面に可動手段９を有し、それが床面13に接地される。そして、水平方向に移動自在に免震床７を支持している。さらに、免震床７の下面には床面13と免震床７との間にコイルバネ等からなる弾性体24が介装されている。この例では模式的に一方向のみに配置されているが、少なくとも平面内のあらゆる方向に免震床７を移動自在に且つ弾性的に支持している。
【００１１】
【使用方法】
先ず、免震床７に負荷が加えられていない状態で、図１および図２の如く、連結板８を負荷側接続金具15を介し免震床７に連結する。それと共に、引き止めヘッド４の右端を固定側接続金具10を介し引張装置１に連結する。次いで、ロックピン３の先端を連結板８の係止孔６に挿入する。そして、ハンドル14を回転し、引張装置１のネジシャフト25を右方に移動し、弾性体24の弾発力に抗して免震床７を右方に移動する。このようにして免震床７に負荷をかけた状態で、油圧シリンダ型引抜き装置５に高圧のオイルを供給し、中空ピストンロッド５ａを引き伸ばして、ロックピン３を引き抜く。
このとき図６の如く、ロックピン３の引き抜き初めに連結板８はスリット部２の図において上側内側面に当接し、下側の内側面と連結板８との間にギャップが生じる。
【００１２】
次いで、ロックピン３がさらに引き抜かれ、連結板８の係止孔６の孔縁部がロックピン３の先端の先端面取り部17に達すると、図７の如く連結板８は図において斜め下方に移動しつつ、左方に移動する。このようにロックピン３の先端部に先端面取り部17を設けることにより、連結板８の係止孔６を損傷させることなく円滑に連結板８を引き止めヘッド４から分離することができる。なお、連結板８とスリット部２とのギャップは、その分離動作を円滑に行うために必要である。仮に、このギャップがないと、ロックピン３が完全に抜けるまでに連結板８は外れない。すると、負荷の引っ張り力により、ロックピン３の先端部に損傷が生じる。
【００１３】
本発明ではこの連結板８とスリット部２とのギャップを適正に設定することにより、試験操作を円滑に行うことができる。そのギャップは負荷の大きさその他によって実験的に設定されるが、通常１〜３ｍｍ程度である。連結板８が引き止めヘッド４から分離すると、その連結板８は支持軸21の周りに自重により回動し、図１の実線の状態から鎖線の状態に移動する。そして、免震床７は弾性体24によって左方に一旦引き戻される。ついで、その反動で右方に移動する振動を起こす。このとき、連結板８は下方に回転しているため、その先端部が引き止めヘッド４と衝突することはない。
【００１４】
【発明の効果】
本発明の免震床の負荷試験装置によれば、免震床に引張負荷を加えた状態で、油圧シリンダ型引抜き装置５によりロックピン３を円滑に引き抜いて、完全に免震床の復元試験（自由振動試験）を行うことができる。そのため従来の如く、試験時に防護処置をする必要がなくなり、それに伴う費用の削減を行うことができると共に、試験自体を正確に行い得る
さらに、ロックピン３を引き抜くと連結板８が下方に回動するため、免震床７の復元振動時に連結板８が引き止めヘッド４側に移動しても、両者が衝突することを防止できる。
請求項２に記載の装置によれば、ロックピン３を油圧シリンダ型引抜き装置５の貫通部に挿脱自在に挿入できるため、ロックピン３の軸部３ａを連結板８の係止孔６に挿入して、両者間を連結する作業を容易に行い得る。
【００１５】
請求項３に記載の装置によれば、さらに円滑に連結板８を引き止めヘッド４から分離することができる。
【図面の簡単な説明】
【図１】本発明の免震床の負荷試験装置の接続状態を示す立面図。
【図２】同装置の要部平面図。
【図３】本発明の引張装置１の一例を示す説明図。
【図４】本発明の連結板８とロックピン３と油圧シリンダ型引抜き装置５との関係を示す説明図。
【図５】本発明のロックピン３の先端部拡大図。
【図６】本発明の連結板８とロックピン３との係脱状態を示す説明図。
【図７】本発明の連結板８とロックピン３との係脱状態を示す説明図。
【図８】従来型免震床の負荷試験装置の説明図。
【符号の説明】
１  引張装置
２  スリット部
２ａ  貫通孔
３  ロックピン
３ａ  軸部
３ｂ  頭部
４  引き止めヘッド
５  油圧シリンダ型引抜き装置
５ａ  中空ピストンロッド
６  係止孔
７  免震床
８  連結板
９  可動手段
10  固定側接続金具
13  床面
14  ハンドル
15  負荷側接続金具
16  ギャップ
17  先端面取り部
18  ウオーム
19  架台
20  ウオームギア
21  支持軸
22  取付ピン
23  固定金具
24  弾性体
25  ネジシャフト
26  ワイヤ
27  軸孔
28  ボルト孔
Ａ  切断箇所
Ｌ  軸方向長さ
【図１】
0004150988.tif 000002
【図２】
0004150988.tif 000003
【図３】
0004150988.tif 000004
【図４】
0004150988.tif 000005
【図５】
0004150988.tif 000006
【図６】
0004150988.tif 000007
【図７】
0004150988.tif 000008
【図８】
0004150988.tif 000009